【事件の表示】
　特許第２８０４２６１号「液晶表示装置」の請求項１ないし１５に係る特許に対する特許異議の申立てについて、次のとおり決定する。
【結論】
　特許第２８０４２６１号の請求項１ないし１５に係る特許を維持する。
【理由】
１．手続の経緯
　本件特許第２８０４２６１号の請求項１ないし１５に係る発明は、平成８年１月２５日に出願した特願平８−１１１８６号の一部を分割した特願平９−１５６７４７号の一部をさらに分割した特願平１０−４６１９号として特許出願され、平成１０年７月１７日にその特許の設定登録がなされ、その後、特許異議申立人株式会社アドバンスト・ディスプレイから特許異議の申立てがなされ、取消理由通知がなされ、その指定期間内である平成１１年１０月４日に特許異議意見書が提出されたものである。
２．本件発明
　本件の請求項１ないし１５に係る発明（以下、本件第１発明ないし第１５発明という。）は、その特許請求の範囲の請求項１ないし１５に記載された次の事項により特定されるものである。
「【請求項１】　液晶組成物を介して配置される第１の基板と第２の基板と、前記第１の基板と第２の基板の少なくとも一方に形成されたブラックマトリクスと、前記第１の基板面と前記液晶組成物層の面との間に形成された映像信号線と、前記映像信号線をはさんで隣り合うそれぞれの画素に、前記映像信号線を介して選択された映像信号が印加される少なくとも一つの画素電極と、対向電圧が印加される少なくとも二つ以上の対向電極とが備えられ、前記画素電極と対向電極の間に発生される前記第１の基板面と平行な電界成分を含む電界によって前記液晶組成物の光透過率を制御する液晶表示装置であって、　前記それぞれの画素の対向電極のうち二つは、前記映像信号線の両脇に隣接して位置づけられ、かつ、前記ブラックマトリクスは、前記映像信号線を被って形成されているとともに、その幅方向の輪郭部は前記映像信号線の両脇に隣接する対向電極上に位置づけられていることを特徴とする液晶表示装置。
　【請求項２】　前記ブラックマトリクスは、前記第２の基板に形成されていることを特徴とする請求項１に記載の液晶表示装置。
　【請求項３】　前記ブラックマトリクスは、絶縁性を有することを特徴とする請求項１に記載の液晶表示装置。
　【請求項４】　前記ブラックマトリクスは、黒色の顔料をレジスト材に混入したものであることを特徴とする請求項１に記載の液晶表示装置。
　【請求項５】　前記ブラックマトリクスは、パラジウムおよび無電解メッキしたＮｉをレジスト材に混入させたものであることを特徴とする請求項１に記載の液晶表示装置。
　【請求項６】　前記第１の基板と第２の基板のそれぞれの表面には、偏光軸が直交して配置された偏光板が設けられていることを特徴とする請求項１から５に記載のうちいずれか記載の液晶表示装置。
　【請求項７】　前記液晶組成物の誘電率異方性の絶対値が７．３以上であることを特徴とする請求項１から６に記載のうちいずれか記載の液晶表示装置。
　【請求項８】　前記液晶組成物は、正の誘電異方性を有し、前記液晶組成物層のリタデーションが０．２５を超え０．３２未満であることを特徴とする請求項１から７に記載のうちいずれか記載の液晶表示装置。
　【請求項９】　前記液晶組成物は、負の誘電異方性を有し、前記液晶組成物層のリタデーションが０．２５を超え０．３２未満であることを特徴とする請求項１から７に記載のうちいずれか記載の液晶表示装置。
　【請求項１０】　前記液晶組成物は、正の誘電異方性を有し、前記液晶組成物層の屈折率異方性が０．０７を超え０．０９未満であることを特徴とする請求項１から９に記載のうちいずれか記載の液晶表示装置。
　【請求項１１】　前記液晶組成物は、負の誘電異方性を有し、前記液晶組成物層の屈折率異方性が０．０４を超え０．０６未満であることを特徴とする請求項１から９に記載のうちいずれか記載の液晶表示装置。
　【請求項１２】　前記対向電極には交流電圧が印加されていることを特徴とする請求項１から１１に記載のうちいずれか記載の液晶表示装置。
　【請求項１３】　前記第１の基板面と前記液晶組成物層の面との間に、複数の画素が形成され、マトリクス状に配置されていることを特徴とする請求項１から１２に記載のうちいずれか記載の液晶表示装置。
　【請求項１４】　前記マトリクス状に配置された複数の画素は、アクティブマトリクスであることを特徴とする請求項１３に記載の液晶表示装置。
　【請求項１５】　前記アクティブマトリクスは、薄膜トランジスタマトリクスであることを特徴とする請求項１４に記載の液晶表示装置。」
３．申立ての理由の概要
　特許異議申立人株式会社アドバンスト・ディスプレイは、甲第１号証刊行物（ＰＲＯＣＥＥＤＩＮＧＳ　ＯＦ　ＴＨＥ　ＦＩＦＴＥＥＮＴＨ　ＩＮＴＥＲＮＡＴＩＯＮＡＬ　ＤＩＳＰＬＡＹ　ＲＥＳＥＡＲＣＨ　ＣＯＮＦＥＲＥＮＣＥ　Ａｓｉａ　Ｄｉｓｐｌａｙ　’９５，Ｏｃｔｏｂｅｒ　１６−１８，１９９５，ｐｐ．７０７−７１０）、甲第２号証刊行物（小林駿介編著「カラー液晶ディスプレイ」産業図書株式会社（平成２年１２月１４日）、第１４９頁）及び甲第３号証刊行物（特開平６−１４８５９６号公報）を提出し、本件の請求項１ないし１５に係る発明は、甲各号証に記載された発明であるか又は甲各号証に記載された発明に基づいて当業者が容易に発明をすることができたものであるから、これら発明の特許は取り消されるべき旨主張している。
４．甲各号証刊行物の記載
（１）甲第１号証
　甲第１号証には、横電界方式の液晶表示装置（スーパーＴＦＴ−ＬＣＤ）について記載され、第７０９頁左欄の図１（従来のＴＦＴ−ＬＣＤとスーパーＴＦＴ−ＬＣＤとの断面視での比較）の（ｂ）（スーパーＴＦＴ−ＬＣＤ）に次の（１−１）ないし（１−４）の事項が示されている。
（１−１）ＴＦＴ基板（ＴＦＴ　Ｓｕｂｓｔｒａｔｅ）と対向基板（Ｃｏｕｎｔｅｒ　Ｓｕｂｓｔｒａｔｅ）とが液晶分子（Ｌ．Ｃ．Ｍｏｌｅｃｕｌｅ）の層を挟んで配置され、
（１−２）対向基板にブラックマトリクス（ＢＭ）が形成され、
（１−３）ＴＦＴ基板と液晶分子の層との間にＴＦＴと一対の電極が形成され、この一対の電極の一方が画素電極（Ｐｉｘｅｌ　Ｅｌｅｃｔｒｏｄｅ）、他方の電極が対向電極（Ｃｏｕｎｔｅｒ　Ｅｌｅｃｔｒｏｄｅ）であり、
（１−４）電界（Ｅｌｅｃｔｒｉｃ　Ｆｉｅｌｄ）は、画素電極と対向電極の間に発生し、ＴＦＴ基板と平行でかつ双方向の成分を有しており、これが液晶分子の層中を通る。
　また、甲第１号証第７０９頁右欄の図２（スーパーＴＦＴ−ＬＣＤの一画素に対する２つの平面配置）の（ｂ）（配置Ｂ）には、次の（１−５）及び（１−６）の事項が示されている。
（１−５）ソースバスライン（Ｓｏｕｒｃｅ　Ｂｕｓ−ｌｉｎｅ）と、これに隣接して位置づけられた一辺を有する矩形部分を備えた対向電極と、
（１−６）ソースバスラインにＴＦＴを介して接続された画素電極。
　即ち、甲第１号証には、次の発明（以下、引用発明という。）が記載されている。
「液晶分子の層を介して配置されるＴＦＴ基板と対向基板と、前記対向基板に形成されたブラックマトリクスと、前記ＴＦＴ基板面と前記液晶分子の層の面との間に形成されたソースバスラインと、前記ソースバスラインをはさんで隣り合うそれぞれの画素に、前記ソースバスラインを介して選択された映像信号が印加される画素電極と、対向電圧が印加される二つの対向電極とが備えられ、前記画素電極と対向電極の間に発生される前記ＴＦＴ基板面と平行な電界成分を含む電界によって前記液晶分子の層の光透過率を制御する液晶表示装置であって、前記それぞれの画素の対向電極のうち二つは、前記ソースバスラインの両脇に隣接して位置づけられている液晶表示装置。」
（２）甲第２号証
　甲第２号証には、アクティブマトリックスカラーＬＣＤに関し、７．２．５ＴＦＴ方式のパネル構造と駆動法の項に次の記載がある。
（２−１）「高コントラスト比を得るためには，画像表示に悪影響を及ぼす光を遮断する必要がある．そこで，ブラックマトリクスと呼ばれる格子状の遮光層を対向基板上に設けることが多い。この遮光層には，画素電極部以外の領域の不要な光を遮断する働きだけでなく，ＴＦＴ光リ一ク電流を抑制する働きもある．」（第１４９頁第３行〜第６行）
（３）甲第３号証
　甲第３号証には、
（３−１）「薄膜トランジスタ基板６１上にはｍ＋１本の信号配線とｎ本の走査配線がマトリクス上に配列されており、薄膜トランジスタ基板６１の表示エリアが各信号配線と各走査配線によってｍ×ｎ個の画素領域に分割されている。各画素領域には薄膜トランジスタ素子５ａ，５ｂ、容量素子６ａ，６ｂ、液晶９が設けられており、各薄膜トランジスタ素子５ａ，５ｂのゲート電極が一方の走査配線３に接続されている。薄膜トランジスタ素子５ａのドレイン電極は一方の信号配線１に接続され、ソース電極が液晶９を介して容量素子６ａに接続されている。そして容量素子６ａの多端は他方の走査配線４に接続されている。一方、薄膜トランジスタ素子５ｂはドレイン電極が他方の信号配線２に接続されており、ソース電極が液晶９と容量素子６ｂに接続されている。そして容量素子６ｂの多端が他方の走査配線４に接続されている。」（第９欄第４２行〜第１０欄第７行）、
（３−２）「薄膜トランジスタ素子５ａ，５ｂは薄膜トランジスタ基板６１に形成されており、薄膜トランジスタ素子５ａ，５ｂ上にはゲート酸化膜１１と保護膜１２が積層されている。（中略）各配向制御膜１６中に液晶層９が形成されている。（中略）そしてカラーフィルタ１３のうち光の伝搬路を除いた領域に有機ポリマーによる遮光膜１５が形成されている。更にカラーフィルタ１３上には透明基板が接合され、この透明基板と薄膜トランジスタ基板６１の両側に偏向板が装着されるようになっている。」（第１０欄第８行〜第２４行）、
（３−３）「そして各画素には、図５に示すように、（中略）薄膜トランジスタ素子５ａ，５ｂが形成されている。」（第１１欄第２行〜第５行）、
（３−４）「図６に示すように、ソース電極７ａとソース電極７ｂとの間の電界の方向Ｅが主に基板面に平行または水平方向成分を持つようになっている。」（第１１欄第２２行〜第２５行）、
（３−５）「ソース電極７ａ，７ｂは画素電極として用いられており、ソース電極７ａ，７ｂ間の電位差で液晶層９の液晶分子の配向が制御されるようになっている。」（第１１欄第２９行〜第３２行）、
との記載があり、さらに、
（３−６）図５に、信号配線１及びその両脇に対を成す配線（信号配線２に近い方がソース電極７ａとして示されている。）と、それらの上方を被う遮光膜１５並びに信号配線２及びその両脇に対を成す配線（信号配線１に近い方がソース電極７ｂとして示されている。）と、それらの上方を被う遮光膜１５が開示され、遮光膜１５はソース電極７ａ、７ｂの間の上方では開口している様子が示され、
（３−７）図１８に、ソース電圧Ｖｓ１，Ｖｓ２が交流波形を呈していることが示されている。
５．対比、判断
（１）本件第１発明について
　本件第１発明と引用発明とを比較すると、引用発明における「液晶分子の層」を構成する物質は液晶組成物であることは明らかであり、また、引用発明における「液晶分子の層」、「ＴＦＴ基板」、「対向基板」及び「ソースバスライン」は、それぞれ本件第１発明における「液晶組成物層」、「第１の基板」、「第２の基板」及び「映像信号線」に対応するから、両発明は「液晶組成物を介して配置される第１の基板と第２の基板と、前記第１の基板と第２の基板の少なくとも一方に形成されたブラックマトリクスと、前記第１の基板面と前記液晶組成物層の面との間に形成された映像信号線と、前記映像信号線をはさんで隣り合うそれぞれの画素に、前記映像信号線を介して選択された映像信号が印加される少なくとも一つの画素電極と、対向電圧が印加される少なくとも二つ以上の対向電極とが備えられ、前記画素電極と対向電極の間に発生される前記第１の基板面と平行な電界成分を含む電界によって前記液晶組成物の光透過率を制御する液晶表示装置であって、前記それぞれの画素の対向電極のうち二つは、前記映像信号線の両脇に隣接して位置づけられている液晶表示装置。」である点で一致し、次の点で相違する。
［相違点］　ブラックマトリクスの位置について、本件第１発明においては「前記ブラックマトリクスは、前記映像信号線を被って形成されているとともに、その幅方向の輪郭部は前記映像信号線の両脇に隣接する対向電極上に位置づけられている」と限定されているのに対し、引用発明においてはこのような限定がない点。
　ここで、横電界方式の液晶表示装置におけるブラックマトリクスについては、甲第１号証の図１（ｂ）に、対向基板の下面（液晶分子の層側）に設けられ、ＴＦＴ基板上のＴＦＴをほぼ被うように形成されたブラックマトリクスが示されている。しかしながら、前記図１（ｂ）は、本件第１発明におけるような、対向電極が映像信号線（引用発明においては「ソースバスライン」）の両脇に隣接して位置づけられた平面配置、即ち図２（ｂ）の配置Ｂをとる液晶表示装置についてのものではなく、しかも、前記配置ＢにおいてＴＦＴに接続された画素電極とソースバスラインに隣接して位置づけられた対向電極とが常に一定の位置関係にあるとも認められないから、前記図１（ｂ）にＴＦＴをほぼ被うように形成されたブラックマトリクスが示されているからといって、前記図２（ｂ）の配置Ｂをとる液晶表示装置におけるブラックマトリクスの形成位置を、映像信号線（ソースバスライン）の両脇に隣接して位置づけられた対向電極と関連づけて、本件第１発明におけるように、ブラックマトリクスの幅方向の輪郭部を映像信号線の両脇に隣接する対向電極上に位置づけることが、甲第１号証に記載された事項から導き出せる事項であるとはいえない。
　また、甲第２号証の前記記載（２−１）は、横電界方式でない通常の液晶表示装置のブラックマトリックスの一般的な機能を示したものに過ぎず、当該記載により、画素電極部以外の領域の不要な光を遮断する働きと、ＴＦＴの光リーク電流を抑制する働きとを有する遮光層として、対向基板においてブラックマトリクスが設けられることが本件出願時において技術常識であったということが裏付けられるとしても、かかる技術常識からは、ブラックマトリクスの幅方向の輪郭部が前記映像信号線の両脇に隣接する対向電極上に位置づけられるという構成を導出することはできない。
　さらに、甲第３号証においては、前記（３−６）の点から、ブラックマトリクスが映像信号線、対向電極及び画素電極を被い、かつ、当該ブラックマトリクスが画素電極と対向電極の間の上方において開口することが示されているとはいえるが、ブラックマトリクスの幅方向の輪郭部が前記映像信号線の両脇に隣接する対向電極上に位置づけられるという事項が記載されているとはいえない。
　したがって、甲第１号証ないし甲第３号証には、本件第１発明における、ブラックマトリクスの幅方向の輪郭部は前記映像信号線の両脇に隣接する対向電極上に位置づけられているという事項が記載されているとはいえない。
　そして、本件第１発明は、ブラックマトリクスは、映像信号線を被って形成されているとともに、その幅方向の輪郭部は前記映像信号線の両脇に隣接する対向電極上に位置づけられているという構成を備えることにより、本件特許明細書【００５０】に記載されたとおり、上下基板の合わせ精度が映像信号線ＤＬに隣接する対向電極ＣＴの電極幅よりも良い場合に、より開口部を拡大することができるという特有の効果を奏するものと認められる。
　以上のことから、本件第１発明は、甲第１号証ないし甲第３号証に記載された発明であるとも、これら刊行物に記載された発明に基づいて当業者が容易に発明をすることができた発明であるともいうことはできない。
（２）本件第２発明ないし第１５発明について
　本件第２発明ないし第１５発明は、本件第１発明の構成をさらに技術的に限定するか又は本件第１発明の構成にさらに要件を付加したものである。したがって、本件第２発明ないし第１５発明は、前記５．（１）で述べたと同様の理由により、甲第１号証ないし甲第３号証に記載された発明であるとも、これら刊行物に記載された発明に基づいて当業者が容易に発明をすることができた発明であるともいうことはできない。
６．むすび
　以上のとおりであるから、特許異議申立ての理由及び証拠によっては、本件請求項１ないし１５に係る発明の特許を取り消すことはできない。
　また、他に本件請求項１ないし１５に係る発明の特許を取り消すべき理由を発見しない。
　よって、結論のとおり決定する。
【異議決定日】
平成１１年１１月２４日（１９９９．１１．２４）